(57)【要約】【課題】収納庫などの収納構造の意匠性を高めるとともに、棚柱に対するブラケットの取付状態を安定させるようにする。【解決手段】収納庫１に適用される棚固定構造９は、側板２の後面２ａに固定される棚柱１０と、ブラケット２０と、を備えている。棚柱１０は、棚柱背部１１と、棚柱背部１１の左右両側部に切り欠き形成された係止部１４，１４，…と、を有している。ブラケット２０は、棚板固定部２１と、上下方向中間部が棚板固定部２１の上下位置と対応する位置に配置されかつ棚板固定部２１の後部２４と一体形成された延伸部２５と、延伸部２５の前方に配置され、後部２４の下側に形成されたフック部２６と、を有している。ブラケット２０は、フック部２６が係止部１４に係止されかつ延伸部２５の対向面２５ａが棚柱背部１１の後面１１ａと当接した状態で棚柱１０に取り付けられている。【選択図】図４
2019107232.tif 000002
【特許請求の範囲】
【請求項１】
左右一対の側板が設けられかつ該側板同士の間に棚板が架け渡された収納構造に用いられる棚固定構造であって、
前記各側板の後面に取付固定される棚柱と、
前記棚柱に対し着脱可能に取り付けられるブラケットと、を備え、
前記棚柱は、
前記各側板の後面と間隔をあけて対向しかつ上下方向に延びる棚柱背部と、
前記棚柱背部における左右側部の少なくともいずれか一方から左右方向中央に向かって部分的に切り欠き形成され、互いに上下方向に間隔をあけて配置された複数の係止部と、を有し、
前記ブラケットは、
前記各側板の側面に沿って前後方向に延びていて、前記棚板を固定するための棚板固定部と、
上下方向に延びていて、上下方向中間部が前記棚板固定部の上下位置と対応する位置に配置されかつ該棚板固定部の後部と一体形成された延伸部と、
前記延伸部の前方に配置されかつ前記棚板固定部の後部下側に形成された一つのフック部と、を有し、
前記延伸部は、前記棚柱背部の後面と対向する対向面を含んでおり、
前記ブラケットは、前記フック部が前記係止部に係止されかつ前記延伸部の対向面が前記棚柱背部の後面と当接した状態で前記棚柱に取り付けられている、棚固定構造。
【請求項２】
請求項１に記載の棚固定構造において、
前記ブラケットは、前記延伸部の下側に配置されかつ該延伸部の対向面から前方に突出した突起部を有しており、
前記突起部は、前記フック部が前記係止部に係止されているときに、該係止部に挿入された状態で該係止部の上端部と当接している、棚固定構造。
【請求項３】
請求項１または２に記載の棚固定構造において、
前記棚柱は、前記棚柱背部の左右両側から前方に向かって突出しかつ該棚柱背部に沿って上下方向に延びる棚柱側部を有しており、
前記棚柱側部には、前記各係止部と対応する位置で前記棚柱背部の後面から前方に向かって部分的に切り欠き形成され、該各係止部から挿入された前記フック部を収納するフック収納部が設けられている、棚固定構造。
【請求項４】
請求項３に記載の棚固定構造において、
前記フック収納部は、側面視で前記棚柱背部から前記棚柱側部の前側に向かって湾曲状に切り欠き形成されており、
前記フック部は、側面視で上下方向中間部が前方に突出するように湾曲形成されている、棚固定構造。
【請求項５】
請求項１〜４のいずれか１項に記載の棚固定構造において、
前記ブラケットは、前記フック部の上方に位置する予備フック部をさらに有する、棚固定構造。
【請求項６】
請求項１〜５のいずれか１項に記載の棚固定構造を備える収納庫。
【発明の詳細な説明】
【技術分野】
【０００１】
本発明は、棚固定構造およびそれを用いた収納庫に関するものである。
【背景技術】
【０００２】
従来、室内に設置される収納庫として、例えば特許文献１のようなものが提案されている。
【０００３】
特許文献１には、左右一対の側板と、前面側に上下方向に間隔をあけて配置された複数の長孔を有する支柱と、後端部に後方に向かって突出した上下一対のフック部（下向鉤片）を有するブラケットと、ブラケットに取り付けられた状態で側板同士の間に配設された棚板と、を備えた組立式戸棚が開示されている。ブラケットは、上下一対のフック部が複数の長孔のいずれかに係止された状態で各支柱の前面側に取り付けられている。
【先行技術文献】
【特許文献】
【０００４】
【特許文献１】実公昭５６−３５０７０号公報
【発明の概要】
【発明が解決しようとする課題】
【０００５】
特許文献１の組立式戸棚において、支柱は、正面視で複数の長孔が側板の内側に位置するように側板の後方に配置されている。これにより、組立者は、正面側から見て複数の長孔の位置を確認しながら、ブラケットのフック部を適宜の位置にある長孔に係止することができる。しかしながら、特許文献１の組立式戸棚では、支柱およびフック部が係止されていない長孔が外部に露出することから、組立式戸棚としての意匠性が損なわれていた。また、仮に支柱および複数の長孔を側板の後方に隠してしまうと、長孔の位置を視認することができず、ブラケットのフック部を長孔に係止することが困難となり、その結果、支柱に対するブラケットの取付状態が不安定となるおそれがあった。
【０００６】
本発明は斯かる点に鑑みてなされたものであり、その目的は、収納庫などの意匠性を高めるとともに、棚柱に対するブラケットの取付状態を安定させるようにすることにある。
【課題を解決するための手段】
【０００７】
上記の目的を達成するために、本発明では、収納庫などに適用される棚固定構造に関し、該棚固定構造を構成する棚柱とブラケットとの取付位置に着目し、その取付構造に工夫を加えることで、収納庫などの収納構造の意匠性を高めかつ棚柱に対するブラケットの取付状態を安定させるようにした。
【０００８】
具体的に、本発明の第１の形態は左右一対の側板が設けられかつ側板同士の間に棚板が架け渡された収納構造に用いられる棚固定構造に係るものであり、この棚固定構造は、各側板の後面に取付固定される棚柱と、棚柱に対し着脱可能に取り付けられるブラケットと、を備えている。棚柱は、各側板の後面と間隔をあけて対向しかつ上下方向に延びる棚柱背部と、棚柱背部における左右側部の少なくともいずれか一方から左右方向中央に向かって部分的に切り欠き形成され、互いに上下方向に間隔をあけて配置された複数の係止部と、を有している。ブラケットは、各側板の側面に沿って前後方向に延びていて、棚板を固定するための棚板固定部と、上下方向に延びていて、上下方向中間部が棚板固定部の上下位置と対応する位置に配置されかつ棚板固定部の後部と一体形成された延伸部と、延伸部の前方に配置されかつ棚板固定部の後部下側に形成された一つのフック部と、を有している。延伸部は、棚柱背部の後面と対向する対向面を含んでいる。そして、ブラケットは、フック部が係止部に係止されかつ延伸部の対向面が棚柱背部の後面と当接した状態で棚柱に取り付けられていることを特徴とする。
【０００９】
第１の形態では、フック部を係止するための複数の係止部が棚柱の棚柱背部に設けられている。このため、棚柱を各側板の後面に取り付けた状態では、複数の係止部が例えば収納庫などの収納構造の正面側から見えにくくなる。すなわち、複数の係止部を、フック部との係止状態にかかわらず収納構造の正面側から見えないようにすることができる。これにより、収納構造の意匠性が向上する。また、ブラケットは、延伸部の前方に配置され、棚板固定部の後部下側に形成された一つのフック部を有している。このため、収納構造を組み立てる際にその組立者が係止部を視認できずとも、一つのフック部を、収納庫の正面側から手探りで容易に係止部に係止することが可能となる。さらに、ブラケットは、フック部が係止部に係止されかつ延伸部の対向面が棚柱背部の後面と当接した状態で棚柱に取り付けられている。すなわち、ブラケットを、フック部と係止部との係止状態および延伸部の対向面と棚柱背部の後面との当接状態により棚柱に対して安定させることが可能となる。特に、棚板をブラケットの棚板固定部に固定した状態では、棚板の自重による下向きの力が棚板固定部に対して生じ、この下向きの力により延伸部が前方に向かって引っ張られるようになる。その結果、延伸部の対向面が棚柱背部の後面に対してより強く当接して、棚柱に対するブラケットの取付状態が安定する。したがって、第１の形態では、収納構造の意匠性を高めることができるとともに、棚柱に対するブラケットの取付状態を安定させることができる。
【００１０】
第２の形態は、第１の形態において、ブラケットは、延伸部の下側に配置されかつ延伸部の対向面から前方に突出した突起部を有しており、突起部は、フック部が係止部に係止されているときに、係止部に挿入された状態で係止部の上端部と当接していることを特徴とする。
【００１１】
第２の形態では、突起部が係止部に挿入された状態で係止部の上端部に当接していることから、ブラケットが棚柱に対して上下方向にがたつかないようになり、棚柱に対するブラケットの取付状態をより一層安定させることができる。
【００１２】
第３の形態は、第１または第２の形態において、棚柱は、棚柱背部の左右両側から前方に向かって突出しかつ棚柱背部に沿って上下方向に延びる棚柱側部を有しており、棚柱側部には、各係止部と対応する位置で棚柱背部の後面から前方に向かって部分的に切り欠き形成され、各係止部から挿入されたフック部を収納するフック収納部が設けられていることを特徴とする。
【００１３】
第３の形態では、フック部をフック収納部に収納することによりフック部と係止部との係止状態が安定するため、棚柱に対するブラケットの取付状態をより一層安定させることができる。
【００１４】
第４の形態は、第３の形態において、フック収納部は、側面視で棚柱背部から棚柱側部の前側に向かって湾曲状に切り欠き形成されており、フック部は、側面視で上下方向中間部が前方に突出するように湾曲形成されていることを特徴とする。
【００１５】
第４の形態では、フック部を、フック収納部の湾曲形状に沿わせながらフック収納部に収めやすくなる。これにより、組立者が係止部を視認できずとも、フック部を収納庫などの収納構造の正面側から手探りで係止部に係止することができる。
【００１６】
第５の形態は、第１〜第４のいずれかの形態において、ブラケットは、フック部の上方に位置する予備フック部をさらに有することを特徴とする。
【００１７】
第５の形態では、何らかの事由でフック部が破損した場合に、予備フック部を、フック部の代わりに係止部に係止することができる。
【００１８】
第６の形態は、第１〜第５の形態のいずれか１つの棚固定構造を備える収納庫である。
【００１９】
この第６の形態では、上記第１〜第５の形態と同様の作用効果を奏する収納庫を得ることができる。
【発明の効果】
【００２０】
以上説明したように、本発明によると、収納構造の意匠性を高めることができるとともに、棚柱に対するブラケットの取付状態を安定させることができる。
【図面の簡単な説明】
【００２１】
【図１】図１は、本発明の実施形態に係る収納庫の正面図である。
【図２】図２は、本発明の実施形態に係る収納庫の背面図である。
【図３】図３は、側板、棚柱、およびブラケットの取付状態を前方から見て示す斜視図である。
【図４】図４は、側板、棚柱、およびブラケットの取付状態を後方から見て示す斜視図である。
【図５】図５は、棚柱の構成を後方から見て示す斜視図である。
【図６】図６は、ブラケットの構成を前方から見て示す斜視図である。
【図７】図７は、ブラケットの構成を前方から見て示す部分拡大斜視図である。
【図８】図８は、図２のVIII−VIII線断面図である。
【図９】図９は、変形例に係るブラケットの構成を示す図７相当図である。
【発明を実施するための形態】
【００２２】
以下、本発明の実施形態を図面に基づいて詳細に説明する。以下の実施形態の説明は、本質的に例示に過ぎず、本発明、その適用物或いはその用途を制限することを意図するものではない。
【００２３】
図１は、本発明の実施形態に係る収納庫１（収納構造）の全体を示している。この収納庫１は、例えば玄関、キッチン、リビング、寝室などの室内に設置されるものとして用いられる。
【００２４】
図１および図２に示すように、収納庫１は、左右一対の側板２，２と、側板２，２の下端部同士の間に架け渡されて配置された水平方向の底板３と、側板２，２の上端部同士の間に架け渡されて配置された水平方向の天板４と、側板２，２の上下方向中央部間に架け渡されて配置された水平方向の棚板５とを有している。棚板５は、収納庫１の内部を複数の収納空間に仕切るための仕切り板として構成されている。左右の側板２，２、底板３、天板４、および棚板５の各々は、例えばＭＤＦ、合板、ＬＶＬ、ＬＶＳ、パーティクルボード等の木質材料からなる。
【００２５】
収納庫１には、棚板５を側板２，２に固定するための棚固定構造９，９が設けられている。図２〜図５に示すように、各棚固定構造９は、後述するブラケット２０を側板２に取り付けるための棚柱１０を備えている。棚柱１０は、各側板２の後面２ａに取付固定されている。棚柱１０は、例えば鋼板などの比較的剛性が高い材料からなり、平面視略Ｃ字状に形成されている。
【００２６】
棚柱１０は、棚柱背部１１および棚柱側部１２を有している。棚柱背部１１は、各側板２の後面２ａに沿って上下方向に延びている。棚柱側部１２は、棚柱背部１１の左右両側から前方に向かって突出しかつ上下方向に延びている。
【００２７】
図５に示すように、棚柱背部１１の左右方向略中央には、例えばタッピンネジＳ，Ｓ，…を挿通するための孔部１３，１３，…（図示例では３つ）が貫通形成されている。棚柱１０は、孔部１３，１３，…に挿通されたタッピンネジＳ，Ｓ，…により側板２の後面２ａに取付固定されている。そして、棚柱１０が側板２に固定された状態では、棚柱側部１２が側板２における左右の各側面２ｂと面一となる一方、棚柱背部１１が側板２の後面２ａと間隔をあけて対向している（図３参照）。
【００２８】
棚柱１０は、複数の係止部１４，１４，…を有している。係止部１４，１４，…は、棚柱背部１１における左右側部から左右方向中央に向かって部分的に切り欠き形成されている。具体的に、各係止部１４は、開口が背面視で略矩形状となるように形成されている（図２参照）。また、係止部１４，１４，…は、上下方向に互いに間隔をあけて配置されている。
【００２９】
棚柱側部１２には、各係止部１４から挿入された後述のフック部２６を収納するためのフック収納部１５，１５，…が設けられている。各フック収納部１５は、各係止部１４と対応する位置に配置されていて、棚柱背部１１の後面１１ａから前方に向かって部分的に切り欠き形成されている。具体的に、各フック収納部１５は、側面視で棚柱背部１１の後面１１ａから棚柱側部１２の前側に向かって湾曲状に切り欠き形成されている。また、各フック収納部１５は、上下方向の長さが各係止部１４における上下方向の長さよりも長くなるように形成されている。
【００３０】
ここで、図２〜図５に示すように、各係止部１４および各フック収納部１５は、それらの上下方向中央の位置を左右に横切る仮想的な水平面（図示せず）を対称面として上下対称となるように切り欠き形成されているのが好ましい。これにより、棚柱１０を、上下の向きの区別なく各側板２の後面２ａに取付固定することが可能となる。これと同様に、棚柱１０が取り付けられた側板１０についても、上下の向きの区別なく底板３および天板４に取り付けることが可能となる。
【００３１】
次に、図１〜図４に示すように、各棚固定構造９は、棚板５を側板２に取り付けるためのブラケット２０を備えている。ブラケット２０は、棚柱１０に対して着脱可能に取り付けられている。ブラケット２０は、例えば鋼板などの比較的剛性が高い材料からなる。
【００３２】
図６にも示すように、ブラケット２０は、棚板５を固定するための棚板固定部２１を有している。棚板固定部２１は、各側板２の側面２ｂに沿って前後方向に延びている（図３参照）。棚板固定部２１の前後方向中間部から前端部に亘る部分は正面視略Ｌ字状に形成されている。棚板固定部２１の下片部２２には、例えばタッピンネジ（図示せず）を挿通するための孔部２３，２３，…（図示例では３つ）が貫通形成されている。棚板５は、孔部２３，２３，…に挿通されたタッピンネジにより棚板固定部２１に固定されている。また、棚板固定部２１の後部２４は、上下方向に延びる略平板状に形成されている。
【００３３】
図２〜図４に示すように、ブラケット２０は、延伸部２５を有している。図６〜図８にも示すように、延伸部２５は、略平板状に形成されていて、上下方向に延びている。延伸部２５は、その上下方向中間部が棚板固定部２１の上下位置と対応する位置に配置されている。また、延伸部２５は、棚板固定部２１の後部２４と一体形成されている。具体的に、後部２４および延伸部２５は、平面視略Ｌ字状となるように一体形成されている。さらに、延伸部２５は、棚柱１０における棚柱背部１１の後面１１ａと対向する対向面２５ａを含んでいる。
【００３４】
図６〜図８に示すように、ブラケット２０は、棚柱１０の係止部１４に係止するためのフック部２６を有している。フック部２６は、側面視で略板状に形成されている。また、フック部２６は、延伸部２５の前方に配置されていて、棚板固定部２１の後部２４下側に形成されている。具体的に、フック部２６は、棚板固定部２１の後部２４とその下側で一体形成されている。また、フック部２６は、側面視で上下方向中間部が前方に突出するように湾曲形成されている。
【００３５】
ブラケット２０は、突起部２７を有している。突起部２７は、延伸部２５の下側における左右方向略中央に設けられていて、延伸部２５の対向面２５ａから前方に突出している。具体的に、突起部２７は、延伸部２５における下端部の一部を前側に向かって折り曲げた状態となるように形成されている。
【００３６】
図１〜図４および図８に示すように、ブラケット２０は、フック部２６が係止部１４に係止されかつ延伸部２５の対向面２５ａが棚柱背部１１の後面１１ａと当接した状態で棚柱１０に取り付けられている。特に、フック部２６は、その下部が棚柱１０のフック収納部１５内で棚柱背部１１の前面と当接した状態となっている。さらに、突起部２７は、フック部２６が係止部１４に係止されているときに、係止部１４内に挿入された状態で係止部１４の上端部と当接している。
【００３７】
［実施形態の作用効果］
以上のように、各棚固定構造９では、フック部２６を係止するための係止部１４，１４，…が棚柱１０の棚柱背部１１に設けられている。このため、棚柱１０を各側板２の後面２ａに取り付けた状態では、係止部１４，１４，…が収納庫１の正面側から見えにくくなる。すなわち、係止部１４，１４，…を、フック部２６との係止状態にかかわらず収納庫１の正面側から見えないようにすることができる。これにより、収納庫１としての意匠性が向上する。また、ブラケット２０は、延伸部２５の前方に配置され、棚板固定部２１の後部２４下側に形成された一つのフック部２６を有している。このため、収納庫１を組み立てる際にその組立者が係止部１４，１４，…を視認できずとも、一つのフック部２６を、収納庫１の正面側から手探りで容易に係止部１４，１４，…のいずれかに係止することが可能となる。さらに、ブラケット２０は、フック部２６が係止部１４に係止されかつ延伸部２５の対向面２５ａが棚柱背部１１の後面１１ａと当接した状態で棚柱１０に取り付けられている。すなわち、ブラケット２０を、フック部２６と係止部１４との係止状態および延伸部２５の対向面２５ａと棚柱背部１１の後面１１ａとの当接状態により棚柱１０に対して安定させることが可能となる。特に、棚板５をブラケット２０の棚板固定部２１に固定した状態では、棚板５の自重による下向きの力が棚板固定部２１に対して生じ、この下向きの力により延伸部２５が前方に向かって引っ張られるようになる。その結果、延伸部２５の対向面２５ａが棚柱背部１１の後面１１ａに対してより強く当接して、棚柱１０に対するブラケット２０の取付状態が安定する。したがって、本発明の実施形態では、収納庫１（収納構造）の意匠性を高めることができるとともに、棚柱１０に対するブラケット２０の取付状態を安定させることができる。
【００３８】
また、ブラケット２０に設けられた突起部２７が棚柱１０の係止部１４に挿入された状態で係止部１４の上端部に当接している。このため、ブラケット２０が棚柱１０に対して上下方向にがたつかないようになり、棚柱１０に対するブラケット２０の取付状態をより一層安定させることができる。
【００３９】
また、フック部２６をフック収納部１５に収納することによりフック部２６と係止部１４との係止状態が安定するようになる。このため、棚柱１０に対するブラケット２０の取付状態をより一層安定させることができる。
【００４０】
また、フック収納部１５は、側面視で棚柱背部１１から棚柱側部１２の前側に向かって湾曲状に切り欠き形成されており、フック部２６は、側面視で上下方向中間部が前方に突出するように湾曲形成されている。このため、フック部２６を、フック収納部１５の湾曲形状に沿わせながらフック収納部１５に収めやすくなる。これにより、組立者が係止部１４を視認できずとも、フック部２６を収納庫１の正面側から手探りで係止部１４に係止することができる。
【００４１】
［実施形態の変形例］
上記実施形態に係る棚固定構造９の変形例として、図９に示すように、ブラケット２０は、予備フック部２８をさらに有していてもよい。予備フック部２８は、フック部２６とその上方に間隔をあけて配置されている。また、予備フック部２８は、フック部２６と同じ形状および同じ大きさに形成されている。この変形例では、何らかの事由でフック部２６が破損した場合であっても、予備フック部２８を、フック部２６の代わりに係止部１４，１４，…に係止することができる。なお、この変形例において、各係止部１４は、その開口がフック部２６および予備フック部２８を挿入可能な上下長さとなるように切り欠き形成されていればよい。
【００４２】
［その他の実施形態］
上記実施形態として、係止部１４，１４，…を棚柱背部１１における左右両側部に設けた形態を示したが、この形態に限られない。すなわち、係止部１４，１４，…は、棚柱背部１１における左右側部の少なくともいずれか一方に設けられていればよい。
【００４３】
また、上記実施形態として、突起部２７を有するブラケット２０の形態を示したが、この形態に限られない。すなわち、ブラケット２０は、突起部２７を有していなくてもよい。
【００４４】
以上、本発明についての実施形態を説明したが、本発明は上述の実施形態のみに限定されず、発明の範囲内で種々の変更が可能である。
【産業上の利用可能性】
【００４５】
本発明は、例えば室内設置用の収納庫として産業上の利用が可能である。
【符号の説明】
【００４６】
１：収納庫
２：側板
３：底板
４：天板
５：棚板
９：棚固定構造
１０：棚柱
１１：棚柱背部
１２：棚柱側部
１４：係止部
１５：フック収納部
２０：ブラケット
２１：棚板固定部
２５：延伸部
２５ａ：対向面
２６：フック部
２７：突起部
２８：予備フック部
【図１】
2019107232.tif 000003
【図２】
2019107232.tif 000004
【図３】
2019107232.tif 000005
【図４】
2019107232.tif 000006
【図５】
2019107232.tif 000007
【図６】
2019107232.tif 000008
【図７】
2019107232.tif 000009
【図８】
2019107232.tif 000010
【図９】
2019107232.tif 000011